(57)【要約】【課題】製造が容易かつ薄型化された構成で、高輝度、かつ、光の均一性を維持して発光できる発光装置及びライトガイド方法を提供すること。【解決手段】ライトガイドの表面Ｓ１及び裏面Ｓ２には、均一な面密度で微細凹凸形状が形成された表面拡散パターンＰＴ１及び裏面拡散パターンＰＴ２がそれぞれ形成され、表面拡散パターンＰＴ１及び裏面拡散パターンＰＴ２は、表面Ｓ１及び裏面Ｓ２に垂直な方向からみて、少なくとも表面拡散パターンＰＴ１または裏面拡散パターンＰＴ２のいずれかが存在し、表面拡散パターンＰＴ１と裏面拡散パターンＰＴ２との重複領域Ｅ１が光源が配置される端部Ｐ１，Ｐ２から離隔する中央部ＰＣの方向に向かって増大するように形成される。【選択図】図４
2019220331.tif 000002
【特許請求の範囲】
【請求項１】
光を導波する帯状のライトガイドと、
前記ライトガイドの一端側から光を導入する光源と、
前記ライトガイドの裏面側に設けられたレフレクタと、
前記ライトガイドの表面側に設けられた表示平板と、
を備え、
前記ライトガイドの表面及び裏面には、均一な面密度で微細凹凸形状が形成された表面拡散パターン及び裏面拡散パターンがそれぞれ形成され、
前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が前記光源から離隔する方向に向かって増大するように形成されていることを特徴とする発光装置。
【請求項２】
複数の前記ライトガイドをストライプ状に並列配置し、
複数の前記光源は、各ライトガイドの一端側から光を導入し、
前記レフレクタ及び前記表示平板は、複数の前記ライトガイドの裏面側及び表面側からそれぞれ覆うことを特徴とする請求項１に記載の発光装置。
【請求項３】
前記ライトガイドの他端側から光を導入する他端側光源を備え、
前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が前記光源と前記他端側光源との間の中心に向かって増大するように形成されていることを特徴とする請求項１または２に記載の発光装置。
【請求項４】
前記表面拡散パターン及び前記裏面拡散パターンは、前記ライトガイドの長手方向を軸に対称のパターンであることを特徴とする請求項１〜３のいずれか一つに記載の発光装置。
【請求項５】
前記表面拡散パターン及び前記裏面拡散パターンのいずれか一方は、前記ライトガイドの全面に前記微細凹凸形状が形成されていることを特徴とする請求項１〜３のいずれか一つに記載の発光装置。
【請求項６】
帯状のライトガイドの表面及び裏面に微細凹凸形状が均一な表面拡散パターン及び裏面拡散パターンをそれぞれ形成し、前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が、端部から光を入射する光源から離隔する方向に向かって増大するように形成しておき、
前記光源から入射された光を、前記表面拡散パターン及び前記裏面拡散パターンによって拡散しつつ導波し、拡散した光を直接または裏面側に設けられたレフレクタを介して表面側に導出することを特徴とするライトガイド方法。
【発明の詳細な説明】
【技術分野】
【０００１】
本発明は、製造が容易かつ薄型化された構成で、高輝度、かつ、光の均一性を維持して発光できる発光装置及びライトガイド方法に関する。
【背景技術】
【０００２】
近年、音声認識によってリモート操作できるスマートスピーカが普及しつつある。このスマートスピーカは、所定の言葉を話しかけるだけで、音楽の再生、天気やニュースの読み上げ、アラームのセットなどを自動で行うようにしている。このスマートスピーカには、反応状態をユーザに知らせるために、反応状態に応じて変化するリング状の発光部であるスマートライトを有している。
【０００３】
上記のスマートライトは、薄型の帯状の発光装置としてノートＰＣなどの外装部などに実装することができる。帯状の発光装置は、帯状のライトガイドの端部から光を導入して拡散によってライトガイドの表面から均一な光を導出する。ライトガイドの拡散は、例えばライトガイドの裏面に形成されたプリズムや拡散粒子によって行われる。
【０００４】
しかし、端部の光源から導入された光は、端部から遠ざかるに従って拡散によって減衰する。このため、端部から遠ざかるに従ってプリズムや拡散粒子による拡散が大きくなるように形成されている。例えば、拡散粒子は、端部から遠ざかるに従って配置密度が高くなるように形成されている。
【０００５】
なお、特許文献１には、透明樹脂に光を散乱させるための散乱粒子が混練分散された導光板の厚さを、光源から遠ざかるに従って厚くし、光の散乱量を増大させ、均一で輝度むらが少ない照明光を光出射面から出射するものが記載されている。
【先行技術文献】
【特許文献】
【０００６】
【特許文献１】特開２００９−７０８２６号公報
【発明の概要】
【発明が解決しようとする課題】
【０００７】
しかしながら、端部から遠ざかるに従ってライトガイドのプリズムや拡散粒子による拡散が大きくなるように形成するには、発光が均一化し、輝度むらが生じないように、設計段階でシミュレーションを行う必要がある。また、設計されたプリズムや拡散粒子の形成は、分布が一様でないため、製造に多大な時間と労力を必要とする。
【０００８】
なお、ライトガイドのプリズムや拡散粒子を一様に形成し、端部から遠ざかるに従って透過率を高くした遮光調整シートをライトガイドの表面に設けるようにしてもよいが、この遮光調整シートの介在によって発光装置の厚さが増してしまう。
【０００９】
本発明は、上記に鑑みてなされたものであって、製造が容易かつ薄型化された構成で、高輝度、かつ、光の均一性を維持して発光できる発光装置及びライトガイド方法を提供することを目的とする。
【課題を解決するための手段】
【００１０】
上述した課題を解決し、目的を達成するために、本発明にかかる発光装置は、光を導波する帯状のライトガイドと、前記ライトガイドの一端側から光を導入する光源と、前記ライトガイドの裏面側に設けられたレフレクタと、前記ライトガイドの表面側に設けられた表示平板と、を備え、前記ライトガイドの表面及び裏面には、均一な面密度で微細凹凸形状が形成された表面拡散パターン及び裏面拡散パターンがそれぞれ形成され、前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が前記光源から離隔する方向に向かって増大するように形成されていることを特徴とする。
【００１１】
また、本発明にかかる発光装置は、上記の発明において、複数の前記ライトガイドをストライプ状に並列配置し、複数の前記光源は、各ライトガイドの一端側から光を導入し、前記レフレクタ及び前記表示平板は、複数の前記ライトガイドの裏面側及び表面側からそれぞれ覆うことを特徴とする。
【００１２】
また、本発明にかかる発光装置は、上記の発明において、前記ライトガイドの他端側から光を導入する他端側光源を備え、前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が前記光源と前記他端側光源との間の中心に向かって増大するように形成されていることを特徴とする。
【００１３】
また、本発明にかかる発光装置は、上記の発明において、前記表面拡散パターン及び前記裏面拡散パターンは、前記ライトガイドの長手方向を軸に対称のパターンであることを特徴とする。
【００１４】
また、本発明にかかる発光装置は、上記の発明において、前記表面拡散パターン及び前記裏面拡散パターンのいずれか一方は、全面に前記微細凹凸形状が形成されていることを特徴とする。
【００１５】
また、本発明にかかるライトガイド方法は、帯状のライトガイドの表面及び裏面に微細凹凸形状が均一な表面拡散パターン及び裏面拡散パターンをそれぞれ形成し、前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が、端部から光を入射する光源から離隔する方向に向かって増大するように形成しておき、前記光源から入射された光を、前記表面拡散パターン及び前記裏面拡散パターンによって拡散しつつ導波し、拡散した光を直接または裏面側に設けられたレフレクタを介して表面側に導出することを特徴とする。
【発明の効果】
【００１６】
本発明によれば、製造が容易かつ薄型化された構成で、高輝度、かつ、光の均一性を維持して発光できる。
【図面の簡単な説明】
【００１７】
【図１】図１は、本実施の形態である発光装置が搭載されたノートＰＣの構成を示す斜視図である。
【図２】図２は、図１に示した発光装置のＡ−Ａ線断面図である。
【図３】図３は、図２に示した発光装置のＢ−Ｂ線断面図である。
【図４】図４は、表面拡散パターン及び裏面拡散パターンの一例及び効果を説明する説明図である。
【図５】図５は、変形例１にかかる表面拡散パターン及び裏面拡散パターンの一例及び効果を説明する説明図である。
【図６】図６は、光源を１つとした変形例２の発光装置による表面拡散パターン及び裏面拡散パターンの一例及び効果を説明する説明図である。
【図７】図７は、帯状のライトガイドを並列配置して平面発光を行う変形例３にかかる構成を示す平面図である。
【発明を実施するための形態】
【００１８】
以下、添付図面を参照してこの発明を実施するための形態について説明する。
【００１９】
＜全体構成＞
図１は、本実施の形態である発光装置１０が搭載されたノートＰＣ１の構成を示す斜視図である。また、図２は、図１に示した発光装置１０のＡ−Ａ断面図である。また、図３は、図２に示した発光装置１０のＢ−Ｂ線断面図である。なお、ノートＰＣ１は、搭載される発光装置１０の薄型化が要求される機器の一例である。図１に示すように、発光装置１０は、帯状の表示平板を介して外部に発光する。
【００２０】
図２及び図３に示すように、発光装置１０は、基板１１、レフレクタ１２、ライトガイド１４、表示平板１７、光源１５，１６、制御ＩＣ２０を有する。基板１１上には帯状のレフレクタ１２が配置される。レフレクタ１２の上部（Ｚ方向）には、エアギャップ１３を介して帯状のライトガイド１４が配置される。ライトガイド１４は、例えば透明のアクリル樹脂で形成されている。
【００２１】
ライトガイド１４の端部Ｐ２，Ｐ１には、ＬＥＤなどの光源１５，１６がそれぞれ配置される。光源１５，１６は、それぞれ−Ｘ方向、Ｘ方向に光を出射し、ライトガイド１４内に入光させる。ライトガイド１４の表面Ｓ１及び裏面Ｓ２には、均一な面密度で微細凹凸形状が形成された表面拡散パターン及び裏面拡散パターンがそれぞれ形成されている。ライトガイド１４は、表面拡散パターン及び裏面拡散パターンによって、光源１５，１６から出射された光を拡散し、直接、表面Ｓ１から、またはレフレクタ１２の反射を介して表面Ｓ１から、Ｚ方向の表示平板１７に向けて出射する。
【００２２】
表示平板１７は、ノートＰＣ１のカバー２に取り付けられる。表示平板１７は、例えば、帯状で半透明の白色プラスチック材である。なお、本実施の形態は、表示平板１７とライトガイド１４との間に遮光調整シートを設けていないので、発光装置１０の厚さを削減できるとともに、表示平板１７とライトガイド１４との間の光の透過率を向上させることができる。
【００２３】
制御ＩＣ２０は、光源１５，１６を接続し、光源１５，１６のオンオフ及び光量制御を行う。
【００２４】
＜拡散パターン＞
図４は、ライトガイド１４の表面Ｓ１及び裏面Ｓ２に形成される微細凹凸形状により達成される表面拡散パターンＰＴ１及び裏面拡散パターンＰＴ２の一例及び効果を説明する説明図である。図４（ａ）に示すように、表面Ｓ１に形成される表面拡散パターンＰＴ１は、微細凹凸形状が形成される領域の全域に亘って均一な面密度で微細凹凸形状が形成されることで達成されている。表面拡散パターンＰＴ１は、微細凹凸形状が形成されている領域がライトガイド１４の端部Ｐ２、Ｐ１から中央部ＰＣに向かって幅が増大し、Ｘ方向の単位長さ当たりの拡散密度が中央部ＰＣに向かって大きくなっている。
【００２５】
また、図４（ｂ）に示すように、裏面Ｓ２に形成される微細凹凸形状により達成される裏面拡散パターンＰＴ２は、表面拡散パターンＰＴ１と同様に、微細凹凸形状が形成される領域の全域に亘って均一な面密度で微細凹凸形状が形成されることで達成されている。裏面拡散パターンＰＴ２は、微細凹凸形状が形成されている領域がライトガイド１４の端部Ｐ２、Ｐ１から中央部ＰＣに向かって幅が増大し、Ｘ方向の単位長さ当たりの拡散密度が中央部ＰＣに向かって大きくなっている。
【００２６】
さらに、図４（ｃ）に示すように、表面Ｓ１及び裏面Ｓ２に垂直な方向（Ｚ方向）からみて、表面Ｓ１及び裏面Ｓ２には少なくとも表面拡散パターンＰＴ１または裏面拡散パターンＰＴ２のいずれかが存在し、表面拡散パターンＰＴ１と裏面拡散パターンＰＴ２との重複領域Ｅ１は、端部Ｐ２、Ｐ１から中央部ＰＣに向かって幅が増大し、重複領域Ｅ１のＸ方向の単位長さ当たりの拡散密度が中央部ＰＣに向かって大きくなっている。
【００２７】
したがって、図４（ｄ）に示すように、均一な面密度で面配置される微細凹凸形状のＸ方向の単位長さ当たりの拡散密度は、端部Ｐ２，Ｐ１から中央部ＰＣに向かって高くなる。一方、図４（ｅ）に示すように、端部Ｐ２，Ｐ１から入光する光量は、端部Ｐ２，Ｐ１から中央部ＰＣに向かって小さくなる。この結果、図４（ｆ）に示すように、Ｘ方向の単位長さ当たりの拡散光量は、Ｘ方向に対して均一になる。
【００２８】
これにより、ライトガイド１４の表面Ｓ１から表示平板１７に向かって導出する光は、Ｘ方向に関して均一な光を発光することができる。
【００２９】
なお、表面拡散パターンＰＴ１及び裏面拡散パターンＰＴ２の微細凹凸形状は、例えば、表面Ｓ１及び裏面Ｓ２にパターンのマスクを用い、サンドブラスト加工によって形成することができる。
【００３０】
ここで、図４（ａ）に示した表面拡散パターンＰＴ１と裏面拡散パターンＰＴ２とは、ライトガイド１４のＸ方向の中心軸Ｃについて対称なパターンであるため、表面拡散パターンＰＴ１及び裏面拡散パターンＰＴ２を形成する際、同一のマスクを用いることができるため、ライトガイド１４の製造が容易になる。また、表面拡散パターンＰＴ１及び裏面拡散パターンＰＴ２の微細凹凸形状は、均一な面密度で形成すればよいため、上記のサンドブラスト加工という簡易な加工処理で行うのみで形成することができるとともに、粗さ公差の影響も受けにくいため、高い加工精度を必要としないで済む。
【００３１】
本実施の形態では、帯状のライトガイド１４の端部から進行する光の拡散に伴う減衰の増大を、光の進行に伴って拡散量を増大させることによって補うため、ライトガイド１４の表面Ｓ１及び裏面Ｓ２に表面拡散パターンＰＴ１及び裏面拡散パターンＰＴ２を形成している。表面拡散パターンＰＴ１及び裏面拡散パターンＰＴ２は、均一な面密度の微細凹凸形状が形成された領域が光の進行方向に伴って増大するように形成した面積パターンであるため、サンドブラスト加工などの簡易な加工処理によって容易に形成できる。
【００３２】
また、本実施の形態では、表面拡散パターンＰＴ１及び裏面拡散パターンＰＴ２は、表面Ｓ１及び裏面Ｓ２に垂直な方向からみて、少なくとも表面拡散パターンＰＴ１または裏面拡散パターンＰＴ２のいずれかが存在するようにしているので、光の漏れを防止して、不均一な発光や輝度むらの発生を抑えることができる。
【００３３】
さらに、本実施の形態では、ライトガイド１４の表面Ｓ１及び裏面Ｓ２に表面拡散パターンＰＴ１及び裏面拡散パターンＰＴ２を形成するのみで均一な発光を行い、しかも遮光調整シートなどの挿入を不要としているので、発光装置１０の薄型化を促進することができる。
【００３４】
＜変形例１＞
上記の実施の形態の表面拡散パターンＰＴ１及び裏面拡散パターンＰＴ２は、中心軸Ｃについて対称なパターンであったが、本変形例１では、図５（ａ）に示すように、表面Ｓ１の表面拡散パターンＰＴ１１は、微細凹凸形状を全面に形成し、図５（ｂ）に示すように、裏面Ｓ２の裏面拡散パターンＰＴ２１は、端部Ｐ２、Ｐ１から中央部ＰＣに向かって幅が増大し、Ｘ方向の単位長さ当たりの拡散密度が中央部ＰＣに向かって大きくなるパターンとしている。すなわち、裏面拡散パターンＰＴ２１は、図４（ｃ）に示した重複領域Ｅ１に対応したパターンとなる。
【００３５】
この結果、変形例１では、図５（ｃ）に示すように、表面Ｓ１及び裏面Ｓ２に垂直な方向（Ｚ方向）からみて、表面Ｓ１及び裏面Ｓ２には必ず表面拡散パターンＰＴ１１が存在し、表面拡散パターンＰＴ１１と裏面拡散パターンＰＴ２１との重複領域Ｅ１は、裏面拡散パターンＰＴ２１と同じパターンとなり、端部Ｐ２、Ｐ１から中央部ＰＣに向かって幅が増大し、重複領域Ｅ１のＸ方向の単位長さ当たりの拡散密度が中央部ＰＣに向かって大きくなっている。
【００３６】
これにより、変形例１では、実施の形態と同様なＸ方向に対する拡散密度、光量、拡散光量の分布（図５（ｄ）〜図５（ｆ））を得ることができる。
【００３７】
＜変形例２＞
本変形例２では、端部Ｐ１に光源１６を設けるが、端部Ｐ２に対応する他方の端部Ｐ２´には光源１５を設けず、端部Ｐ１からのみ光を導入するライトガイドとしている。
【００３８】
したがって、本変形例２では、図６に示すように、図４に示した端部Ｐ１と中央部ＰＣ
との間の表面拡散パターンＰＴ１と裏面拡散パターンＰＴ２とに対応した表面拡散パターンＰＴ１３と裏面拡散パターンＰＴ２３が形成される。
【００３９】
このように、ライトガイドの一方の端部のみから入光した場合であっても、入光する端部から離隔する方向での合成した拡散密度が高くする表面拡散パターンＰＴ１３及び裏面拡散パターンＰＴ２３を形成することによって、ライトガイドの表面Ｓ１からの光は均一な光として出射される。
【００４０】
＜変形例３＞
上記の実施の形態及び変形例１，２では、単一の帯状のライトガイド１４を用いて帯状の発光を行うものであったが、変形例３では、図７に示すように、帯状のライトガイド１４に対応した複数の帯状のライトガイド１４ａ，１４ｂ，１４ｃをストライプ状に並列配置して２次元の平面として均一な光を発光できるようにしている。
【００４１】
図７では、各ライトガイド１４ａ〜１４ｃに対してそれぞれ両端に光源１５ａ，１６ａ、１５ｂ，１６ｂ、１５ｃ，１６ｃが配置され、各ライトガイド１４ａ〜１４ｃに光を導入している。
【００４２】
レフレクタ１２に対応するレフレクタ１２ａ、及び表示平板１７に対応する表示平板１７ａは、各ライトガイド１４ａ〜１４ｃをそれぞれは、裏面側及び表面側から覆うように形成される。これにより、均一な光を発光する平面状の発光領域Ｅ１７を形成することができる。
【００４３】
なお、上記の実施の形態で図示した各構成は機能概略的なものであり、必ずしも物理的に図示の構成をされていることを要しない。すなわち、各装置及び構成要素の分散・統合の形態は図示のものに限られず、その全部又は一部を各種の使用状況などに応じて、任意の単位で機能的又は物理的に分散・統合して構成することができる。
【符号の説明】
【００４４】
１  ノートＰＣ
２  カバー
１０  発光装置
１１  基板
１２，１２ａ  レフレクタ
１３  エアギャップ
１４，１４ａ，１４ｂ，１４ｃ  ライトガイド
１５，１５ａ〜１５ｃ，１６，１６ａ〜１６ｃ  光源
１７，１７ａ  表示平板
２０  制御ＩＣ
Ｃ  中心軸
Ｅ１  重複領域
Ｅ１７  発光領域
Ｐ１，Ｐ２，Ｐ２´  端部
ＰＣ  中央部
ＰＴ１，ＰＴ１１，ＰＴ１３  表面拡散パターン
ＰＴ２，ＰＴ２１，ＰＴ２３  裏面拡散パターン
Ｓ１  表面
Ｓ２  裏面
【図１】
2019220331.tif 000003
【図２】
2019220331.tif 000004
【図３】
2019220331.tif 000005
【図４】
2019220331.tif 000006
【図５】
2019220331.tif 000007
【図６】
2019220331.tif 000008
【図７】
2019220331.tif 000009
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
光を導波する帯状のライトガイドと、
前記ライトガイドの一端側から光を導入する光源と、
前記ライトガイドの裏面側に設けられたレフレクタと、
前記ライトガイドの表面側に設けられた表示平板と、
を備え、
前記ライトガイドの表面及び裏面には、均一な面密度で微細凹凸形状が形成された表面拡散パターン及び裏面拡散パターンがそれぞれ形成され、
前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が前記光源から離隔する方向に向かって増大するように形成し、
前記表面拡散パターンと前記裏面拡散パターンとは、前記ライトガイドの表面あるいは裏面の一面からみて異なるパターンであって、前記ライトガイドの長手方向を軸に裏返した場合に同一のパターンとなるように形成されることを特徴とする発光装置。
【請求項２】
複数の前記ライトガイドをストライプ状に並列配置し、
複数の前記光源は、各ライトガイドの一端側から光を導入し、
前記レフレクタ及び前記表示平板は、複数の前記ライトガイドの裏面側及び表面側からそれぞれ覆うことを特徴とする請求項１に記載の発光装置。
【請求項３】
前記ライトガイドの他端側から光を導入する他端側光源を備え、
前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が前記光源と前記他端側光源との間の中心に向かって増大するように形成されていることを特徴とする請求項１または２に記載の発光装置。
【請求項４】
前記表面拡散パターン及び前記裏面拡散パターンのいずれか一方は、前記ライトガイドの全面に前記微細凹凸形状が形成されていることを特徴とする請求項１〜３のいずれか一つに記載の発光装置。
【請求項５】
帯状のライトガイドの表面及び裏面に微細凹凸形状が均一な表面拡散パターン及び裏面拡散パターンをそれぞれ形成し、前記表面拡散パターン及び前記裏面拡散パターンは、前記表面及び裏面に垂直な方向からみて、少なくとも前記表面拡散パターンまたは前記裏面拡散パターンのいずれかが存在し、前記表面拡散パターンと前記裏面拡散パターンとの重複領域が、端部から光を入射する光源から離隔する方向に向かって増大するように形成するとともに、前記表面拡散パターンと前記裏面拡散パターンとは、前記ライトガイドの表面あるいは裏面の一面からみて異なるパターンであって、前記ライトガイドの長手方向を軸に裏返した場合に同一のパターンとなるように形成し、
前記光源から入射された光を、前記表面拡散パターン及び前記裏面拡散パターンによって拡散しつつ導波し、拡散した光を直接または裏面側に設けられたレフレクタを介して表面側に導出することを特徴とするライトガイド方法。